(57)【要約】  空気調和機の室外機の大きさに応じて支柱本体の高さが調節できる空気調和機の室外機。空気調和機の室外機は、天板と、底板と、前記天板と前記底板とを接続する支柱本体と、を有する筐体と、前記筐体の内周に沿って配置された熱交換器と、を備え、前記支柱本体は、前記筐体の角部に配置され、ベース支柱と、前記ベース支柱に対して上下方向にスライド可能なスライド支柱と、により構成され、前記ベース支柱に前記スライド支柱を固定する固定部材が備えられている。
2017183069.tif 000002
【特許請求の範囲】
【請求項１】
天板と、底板と、前記天板と前記底板とを接続する支柱本体と、を有する筐体と、
前記筐体の内周に沿って配置された熱交換器と、を備え、
前記支柱本体は、
前記筐体の角部に配置され、
ベース支柱と、前記ベース支柱に対して上下方向にスライド可能なスライド支柱と、により構成され、
前記ベース支柱に前記スライド支柱を固定する固定部材が備えられている
空気調和機の室外機。
【請求項２】
前記筐体は、
前記筐体の前面を形成する前面パネルと、
前記筐体の一方の側面を形成する外郭パネルと、を更に有し、
前記熱交換器は、
前記前面パネルに対向する前記筐体の背面、及び、前記外郭パネルに対向する前記筐体の他方の側面に沿ったＬ字形状を有し、
前記背面、及び、前記他方の側面に露出しており、
前記支柱本体は、
前記背面と、前記他方の側面とが接する角部に配置されている
請求項１に記載の空気調和機の室外機。
【請求項３】
前記スライド支柱と前記ベース支柱とを当接固定する前記固定部材であるねじを備えた
請求項１又は２に記載の空気調和機の室外機。
【請求項４】
前記ベース支柱は、側面に形成された複数の開口を備え、
前記スライド支柱と前記ベース支柱とを、前記開口の少なくとも１つを介して締結固定する前記固定部材であるねじを備えた
請求項１又は２に記載の空気調和機の室外機。
【請求項５】
前記ベース支柱に取り付けられた把手を更に備え、
前記把手は、
ねじにより前記ベース支柱の上端部の近傍に固定される
請求項１〜３のいずれか一項に記載の空気調和機の室外機。
【請求項６】
前記固定部材は、
前記把手を固定する前記ねじにより構成される
請求項５に記載の空気調和機の室外機。
【請求項７】
前記ベース支柱は、前記スライド支柱が係合して摺動するスライド溝を備えた
請求項１〜６のいずれか一項に記載の空気調和機の室外機。
【請求項８】
前記スライド支柱は、前記スライド溝に挿入されるスライド挿入部を備えた
請求項７に記載の空気調和機の室外機。
【請求項９】
前記スライド溝は、
前記ベース支柱の両側端部に一対形成された
請求項７又は８に記載の空気調和機の室外機。
【請求項１０】
前記一対の前記スライド溝は、
それぞれの底部が平行に形成されている
請求項９に記載の空気調和機の室外機。
【請求項１１】
前記スライド挿入部は、
前記スライド支柱の両側端部に一対形成された
請求項８〜１０のいずれか一項に記載の空気調和機の室外機。
【請求項１２】
前記スライド支柱、及び前記ベース支柱は、断面がＬ字形状である
請求項１〜１１のいずれか一項に記載の空気調和機の室外機。
【請求項１３】
前記スライド支柱、及び前記ベース支柱は、断面が円弧形状である
請求項１〜１２のいずれか一項に記載の空気調和機の室外機。
【発明の詳細な説明】
【技術分野】
【０００１】
本発明は、空気調和機の室外機に関し、特に、空気調和機の室外機の構造に関するものである。
【背景技術】
【０００２】
従来、空気調和機の室外機においては、熱交換器が筐体に収容され、側面板により熱交換器が保護されている。これに対し、例えば、特許文献１には、上吹き型室外機において、上部側板、前側板、及び左側板以外の面に側板を設けず、筐体に収容された熱交換器を露出させることが開示されている。特許文献２には、上吹き型室外機の側面を取り付け支柱により構成し、螺子により取り付け支柱に熱交換器の側端部を固定することが開示されている。特許文献３には、横吹き型室外機の前面パネルの側面部に、Ｌ字型の補強板を取り付けることが開示されている。
【先行技術文献】
【特許文献】
【０００３】
【特許文献１】特開２０１３−７５５８号公報
【特許文献２】実開昭６１−９１７６５号公報
【特許文献３】特開２０１５−１０７７５号公報
【発明の概要】
【発明が解決しようとする課題】
【０００４】
熱交換器が筐体の側面板により保護されていると、側面板と熱交換器との間に水が溜まってブリッジ状態となり、水が凍結すると、熱交換器の機能が低下するだけでなく、熱交換器又は筐体が破壊する恐れがある。特許文献１〜３に記載の室外機のように、熱交換器を収容する筐体の側面に側板を設けず、側面を支柱により覆う構成が採用とすることで、側面板と熱交換器との間に溜まった水による影響が低減されると推測される。【０００５】
しかし、特許文献１〜３のいずれにおいても、空気調和機の室外機の大きさが相違する場合には、空気調和機の室外機の大きさに応じて、大きさの異なる筐体を用意しなければならず、大きさに応じて個別の長さの支柱が必要となる。これでは、それぞれの大きさに対応した部品を全て在庫として保有しなければならないという別の問題が生じる。【０００６】
本発明は、上述のような課題を解決するためになされたものであり、側面板と熱交換器との間で水が凍結することを防止し、且つ、高さを調節できる空気調和機の室外機を提供することを目的とする。
【課題を解決するための手段】
【０００７】
本発明に係る空気調和機の室外機は、天板と、底板と、前記天板と前記底板とを接続する支柱本体と、を有する筐体と、前記筐体の内周に沿って配置された熱交換器と、を備え、前記支柱本体は、前記筐体の角部に配置され、ベース支柱と、前記ベース支柱に対して上下方向にスライド可能なスライド支柱と、により構成され、前記ベース支柱に前記スライド支柱を固定する固定部材が備えられている。
【発明の効果】
【０００８】
本発明に係る空気調和機の室外機によれば、天板と底板とを接続する支柱本体がベース支柱と、スライド支柱とにより構成されており、スライド支柱がベース支柱に対して上下方向にスライドされて固定されている。天板と底板とが支柱本体により接続されることで従来のように、側面と熱交換器との間に水が溜まることがなくなり、凍結が防止される上に、異なる高さの空気調和機の室外機に共通の支柱本体を用いることが可能となる。
【図面の簡単な説明】
【０００９】
【図１】本実施の形態に係る空気調和機の室外機の前面を示す斜視図である。
【図２】本実施の形態に係る空気調和機の室外機の背面を示す斜視図である。
【図３】本実施の形態に係る空気調和機の室外機の支柱を筐体の内側から見た斜視図である。
【図４】本実施の形態に係る空気調和機の室外機の支柱を筐体の外側から見た斜視図である。
【図５】図５（ａ）は、本実施の形態に係るスライド支柱を上面からみたときの模式図であり、図５（ｂ）は、本実施の形態に係るスライド支柱を側面からみたときの模式図である。
【図６】図６（ａ）は、本実施の形態に係るベース支柱を上面からみたときの模式図であり、図６（ｂ）は、本実施の形態に係るベース支柱を側面からみたときの模式図である。
【図７】本実施の形態に係る空気調和機の室外機の支柱を示す模式図である。
【図８】本実施の形態に係る空気調和機の室外機の支柱の断面を示す模式図である。
【図９】図９（ａ）は、本実施の形態に係る空気調和機の室外機が小型である場合を示す側面図であり、図９（ｂ）は、本実施の形態に係る空気調和機の室外機が小型である場合を示す斜視図である。
【図１０】図１０（ａ）は、本実施の形態に係る空気調和機の室外機１が中型である場合を示す側面図であり、図１０（ｂ）は、本実施の形態に係る空気調和機の室外機１が中型である場合を示す斜視図である。
【図１１】図１１（ａ）は、本実施の形態に係る空気調和機の室外機１が大型である場合を示す側面図であり、図１１（ｂ）は、本実施の形態に係る空気調和機の室外機１が大型である場合を示す斜視図である。
【図１２】図１２（ａ）は、本実施の形態に係る空気調和機の室外機１が特大である場合を示す側面図であり、図１２（ｂ）は、本実施の形態に係る空気調和機の室外機１が特大である場合を示す斜視図である。
【図１３】本実施の形態に係る空気調和機の室外機の変形例に係る支柱を示す模式図である。
【発明を実施するための形態】
【００１０】
実施の形態．
＜空気調和機の室外機１の構成＞
図１は、本実施の形態に係る空気調和機の室外機１の前面を示す斜視図である。また、図２は、本実施の形態に係る空気調和機の室外機１の背面を示す斜視図である。図１、及び、図２に示すように、空気調和機の室外機１は、底板５、外郭パネル３、前面パネル４、天板２、及び、支柱９により構成された筐体１ａを有し、筐体１ａの内部に室外熱交換器６及び送風機３０を収容している。筐体１ａは、室外熱交換器６の他、不図示の圧縮機、電気品などの構成部品を収容している。室外熱交換器６は、Ｌ字形状をしており、支柱９が配置された側面、及び、前面パネル４に対向する背面に沿うように底板５の上面に配置されている。筐体１ａの前面側には、室外熱交換器６は配置されておらず、送風機３０が送風機カバー３１を介して見えている。以下の説明において、支柱９が配置された筐体１ａの側面を左側面とし、左側面に対向する側面を右側面として説明する。なお、支柱９は、本発明の支柱本体の一例である。
【００１１】
筐体１ａを構成する底板５は、室外機１の下面となり、上部に不図示の室外機１の構成部品が載置される。天板２は、底板５の上方に配置され、室外機１の上面となり、構成部品を覆っている。天板２及び底板５は平行に配置され、前面パネル４、支柱９、及び外郭パネル３により接続されている。前面パネル４は、筐体１ａの前面と、前面から連続する右側面の一部を覆い、外郭パネル３は、前面パネル４に連続し、筐体１ａの右側面の他の一部から右側面よりの背面の一部にかけて覆っている。支柱９は、スライド支柱７と、ベース支柱８とにより構成され、筐体１ａの左側面の背面側と、左側面よりの背面の一部とが接する角部１ｂに配置されている。
【００１２】
支柱９は、スライド支柱７が、ベース支柱８に対して上下方向にスライド可能であり、内部に収容される構成部品に応じて支柱９の長さが変更される。スライド支柱７は、上端部７ａにおいて天板２と接続し、下端部７ｂにおいてベース支柱８と接続しており、ベース支柱８は、上端部８ａにおいてスライド支柱７と接続し、下端部８ｂにおいて底板５と接続している。スライド支柱７及びベース支柱８の前面側と、前面パネル４の側端部４ａとの間は、開放された空間６ａになっており、空間６ａに筐体１ａの左側面に沿う室外熱交換器６が露出している。また、スライド支柱７及びベース支柱８の背面側と、外郭パネル３の背面側の側端部３ａとの間は、開放された空間６ｂになっており、空間６ｂに筐体１ａの背面側に沿う室外熱交換器６が露出している。室外熱交換器６を露出させて配置することで空気の流れが良くなり、熱交換効率が向上され、且つ、熱交換により生じた結露水が室外熱交換器６と側壁との間に溜まることが防止される。前面パネル４及び外郭パネル３には、筐体１ａの角となる位置にそれぞれハンドル１０ａが設けられている。また、ベース支柱８の上端部８ａの近傍には、ハンドル１０ｂが設けられている。ハンドル１０ａ、ｂは、室外機１を手で移動し、室外機１の据付などを行う際に用いられる。なお、ハンドル１０ｂは、本発明の把手の一例である。
【００１３】
＜支柱９の構成＞
図３は、本実施の形態に係る空気調和機の室外機１の支柱９を筐体１ａの内側から見た斜視図である。また、図４は、本実施の形態に係る空気調和機の室外機１の支柱９を筐体１ａの外側から見た斜視図である。図３、及び、図４に示すように、支柱９は、スライド支柱７及びベース支柱８により構成され、内側に天板固定ねじ位置１９、支柱固定ねじ位置１１、ハンドル固定ねじ位置１８、及び底板固定ねじ位置２０を備えている。ベース支柱８の外側には、ハンドル１０ｂが取り付けられている。底板固定ねじ位置２０は、ベース支柱８が底板５に固定される位置であり、天板固定ねじ位置１９は、スライド支柱７が天板２に固定される位置である。スライド支柱７とベース支柱８とは、スライド可能に取り付けられており、支柱固定ねじ位置１１において締結されたねじにより固定されている。
【００１４】
＜スライド支柱７の構成＞
図５（ａ）は、本実施の形態に係るスライド支柱７を上面からみたときの模式図であり、図５（ｂ）は、本実施の形態に係るスライド支柱７を側面からみたときの模式図である。図５（ａ）及び（ｂ）に示すように、スライド支柱７は、側面視において矩形状であり、例えば、Ｌ字型の断面形状を有する。スライド支柱７の上端部７ａの近傍に設けられた天板固定ねじ位置１９には、スライド支柱７を天板２に取り付け、固定するねじが締結される。スライド支柱７の下端部７ｂの支柱固定ねじ位置１１には、ねじ穴１１ａが形成されており、スライド支柱７の内側から止めねじなどのねじが挿入されている。支柱固定ねじ位置１１において、ねじが締め込まれ、ねじの先端がベース支柱８の内側に当接し、押しつけられることで、スライド支柱７がベース支柱８に固定される。なお、スライド支柱７とベース支柱８とを当接固定するねじは、本発明の固定部材であるねじの一例である。
【００１５】
＜ベース支柱８の構成＞
図６（ａ）は、本実施の形態に係るベース支柱８を上面からみたときの模式図であり、図６（ｂ）は、本実施の形態に係るベース支柱８を側面からみたときの模式図である。図６（ａ）及び（ｂ）に示すように、ベース支柱８は、スライド支柱７と同様、側面視において矩形状であり、Ｌ字型の断面形状を有する。ベース支柱８の上側半分の位置に設けられたハンドル固定ねじ位置１８は、外側にハンドル１０ｂが取り付けられる位置である。ベース支柱８の下端部８ｂの近傍の底板固定ねじ位置２０には、ベース支柱８を底板５に取り付け、固定するねじが締結される。
【００１６】
＜スライド支柱７及びベース支柱８による支柱９の高さ調整＞
図７は、本実施の形態に係る空気調和機の室外機１の支柱９を示す模式図である。図７に示すように、支柱９は、スライド挿入部１２ａ、１２ｂを備えたスライド支柱７が、スライド溝１３ａ、１３ｂを備えたベース支柱８の内側に入った状態で高さが調節され、固定されている。スライド挿入部１２ａ、１２ｂは、スライド支柱７の長手方向に沿った両側端部に設けられており、スライド溝１３ａ、１３ｂは、ベース支柱８の長手方向に沿った両側端部に設けられている。スライド支柱７のスライド挿入部１２ａ、１２ｂは、ベース支柱８のスライド溝１３ａ、１３ｂに引っ掛けられて係合している。
【００１７】
ハンドル固定ねじ位置１８は、底板固定ねじ位置２０から所定の距離上方に位置し、ハンドル固定ねじ位置１８において、支柱９の内側からハンドル１０ｂがねじ止めされ、ハンドル１０ｂがベース支柱８の所定の高さに固定される。
【００１８】
図８は、本実施の形態に係る空気調和機の室外機１の支柱９の断面を示す模式図である。図８に示すように、支柱９は、背面側に配置される短辺と、左側面側に配置される長辺とからなるＬ字型の断面形状を有し、スライド支柱７のスライド挿入部１２ａ、１２ｂがベース支柱８のスライド溝１３ａ、１３ｂに挿入されている。
【００１９】
スライド挿入部１２ａ、１２ｂは、スライド支柱７の両側端部に、背面側から前面側に向かって設けられている。短辺側に設けられたスライド挿入部１２ａは、前面側に屈曲されて前面側に延びており、長辺側に設けられたスライド挿入部１２ｂは、屈曲されずに前面側に延びている。スライド挿入部１２ａ、１２ｂは、それぞれベース支柱８のスライド溝１３ａ、１３ｂに挿入されている。スライド溝１３ａ、１３ｂは、ベース支柱８の両側端部が内側に折り返されて形成されている。短辺側に設けられたスライド溝１３ａは、ベース支柱８の側端部が前面側に屈曲し、内側に屈曲し、更に、先端部８ｃが背面側に屈曲することで形成されている。長辺側に設けられたスライド溝１３ｂは、ベース支柱８の側端部が内側に屈曲し、先端部８ｄが背面側に屈曲することで形成されている。
【００２０】
＜支柱９の空気調和機の室外機１への取付方法＞
支柱９の空気調和機の室外機１への取付においては、まず、支柱９の高さを調節するため、スライド支柱７の位置を移動させる。スライド支柱７は、スライド支柱７のスライド挿入部１２ａ、１２ｂがベース支柱８のスライド溝１３ａ、１３ｂにはまり込んで、又は、引っ掛けられてベース支柱８に収容されている。この状態から、スライド支柱７を、ベース支柱８の上端部８ａからスライド支柱７の上端部７ａまでの寸法Ｌが所望の値となる位置までスライドさせる。このとき、スライド挿入部１２ａ、１２ｂがスライド溝１３ａ、１３ｂを摺動し、スライド溝１３ａ、１３ｂに沿って移動することで、スライド支柱７の転倒が防止される。そして、寸法Ｌが所望の値となった位置において、スライド支柱７のねじ穴１１ａにねじを挿入し、締結する。ねじの先端が締結によりベース支柱８に当接し、押しつけられることで、スライド支柱７がベース支柱８に固定されて支柱９の高さが調節される。
【００２１】
続いて、支柱９の外側にハンドル１０ｂを取り付ける。ハンドル１０ｂは、ベース支柱８の上端部８ａ近傍のハンドル固定ねじ位置１８にねじが締結され、取り付けられる。支柱９の高さが低く、スライド支柱７の全体がベース支柱８に収容されている場合には、ハンドル固定ねじ位置１８において締結されたねじにより、ハンドル１０ｂが固定すると共に、スライド支柱７とベース支柱８とが固定される。この場合には、支柱固定ねじ位置１１におけるねじの締結は省略される。その後、ベース支柱８の下端部８ｂ近傍にねじが締結され、支柱９が底板５に取り付けられる。更に、スライド支柱７の上端部７ａ近傍にねじが締結され、支柱９に天板２が取り付けられる。これにより、空気調和機の室外機１の大きさが異なる場合にも、共通の支柱９が取り付けられる。
【００２２】
＜小型の空気調和機の室外機１への適用例＞
図９（ａ）は、本実施の形態に係る空気調和機の室外機１が小型である場合を示す側面図であり、図９（ｂ）は、本実施の形態に係る空気調和機の室外機１が小型である場合を示す斜視図である。図９（ａ）及び（ｂ）に示すように、小型の空気調和機の室外機１の筐体１ａは、天板２、底板５、支柱９、小型の前面パネル４、及び、小型の外郭パネル３により構成され、スライド支柱７がベース支柱８の内部に収まり、支柱９となっている。このとき、スライド支柱７は、全体がほぼベース支柱８の内部に収まっており、外観には現れない。つまり、ベース支柱８の上端部８ａからスライド支柱７の上端部７ａまでの寸法Ｌ＝０である。スライド支柱７とベース支柱８とは、ハンドル１０ｂと共に、ハンドル固定ねじ位置１８に締結されるねじにより固定される。
【００２３】
＜中型の空気調和機の室外機１への適用例＞
図１０（ａ）は、本実施の形態に係る空気調和機の室外機１が中型である場合を示す側面図であり、図１０（ｂ）は、本実施の形態に係る空気調和機の室外機１が中型である場合を示す斜視図である。図１０（ａ）及び（ｂ）に示すように、中型の空気調和機の室外機１の筐体１ａは、天板２、底板５、支柱９、中型の前面パネル４、及び、中型の外郭パネル３により構成される。支柱９は、ベース支柱８と、空気調和機の室外機１の高さに合わせ、ベース支柱８から寸法Ｌ１だけ出た高さにスライドされて調節されたスライド支柱７により構成されている。つまり、ベース支柱８の上端部８ａからスライド支柱７の上端部７ａまでの寸法Ｌ＝Ｌ１である。
【００２４】
＜大型の空気調和機の室外機１への適用例＞
図１１（ａ）は、本実施の形態に係る空気調和機の室外機１が大型である場合を示す側面図であり、図１１（ｂ）は、本実施の形態に係る空気調和機の室外機１が大型である場合を示す斜視図である。図１１（ａ）及び（ｂ）に示すように、大型の空気調和機の室外機１の筐体１ａは、天板２、底板５、支柱９、大型の前面パネル４、及び、大型の外郭パネル３により構成される。支柱９は、ベース支柱８と、空気調和機の室外機１の高さに合わせ、ベース支柱８から寸法Ｌ２だけ出た高さにスライドされて調節されたスライド支柱７により構成されている。つまり、ベース支柱８の上端部８ａからスライド支柱７の上端部７ａまでの寸法Ｌ＝Ｌ２である。
【００２５】
＜特大の空気調和機の室外機１への適用例＞
図１２（ａ）は、本実施の形態に係る空気調和機の室外機１が特大である場合を示す側面図であり、図１２（ｂ）は、本実施の形態に係る空気調和機の室外機１が特大である場合を示す斜視図である。図１２（ａ）及び（ｂ）に示すように、特大の空気調和機の室外機１の筐体１ａは、天板２、底板５、支柱９、特大の前面パネル４、及び、特大の外郭パネル３により構成される。支柱９は、ベース支柱８と、空気調和機の室外機１の高さに合わせ、ベース支柱８から寸法Ｌ２だけ出た高さにスライドされて調節されたスライド支柱７により構成されている。つまり、ベース支柱８の上端部８ａからスライド支柱７の上端部７ａまでの寸法Ｌ＝Ｌ３である。
【００２６】
このように、支柱９は、スライド支柱７をスライドさせ、ベース支柱８の上端部８ａからスライド支柱７の上端部７ａまでの寸法Ｌ＝０＜Ｌ１＜Ｌ２＜Ｌ３が変更される。小型、中型、大型、及び特大の空気調和機の室外機１の大きさにあう、前面パネル４及び外郭パネル３が用意され、共通の天板２、底板５、支柱９と共にそれぞれの空気調和機の室外機１の大きさにあわせた高さの筐体１ａが構成される。
【００２７】
また、筐体１ａの天板２及び底板５は、前面パネル４と、外郭パネル３と、支柱９とにより接続されており、筐体１ａの前面パネル４と、外郭パネル３とにより覆われた側面以外の側面には、パネルが設けられていない。これにより、室外熱交換器６に沿った側面には、支柱９と前面パネル４との間の空間６ａ及び支柱９と外郭パネル３との間の空間６ｂが形成されることとなる。開放された空間６ａ、６ｂにより、空間６ａ、６ｂから露出する室外熱交換器６に外気が送風されると共に、室外熱交換器６と筐体１ａとの間に水が溜まることが防止される。
【００２８】
＜変形例＞
図１３は、本実施の形態に係る空気調和機の室外機１の変形例に係る支柱９０を示す模式図である。図１３に示すように、変形例に係る支柱９０は、ベース支柱８の側面に一定の間隔で形成された複数の開口９０ａを備える。支柱９０は、所望の高さに調整され、スライド支柱７の支柱固定ねじ位置１１に設けられたねじ穴１１ａにねじが挿入される。ねじは、ねじ穴１１ａを貫通し、ベース支柱８の開口９０ａに挿入されて締結され、スライド支柱７と、ベース支柱８とが固定される。スライド支柱７とベース支柱８とを締結するねじは、本発明の固定部材であるねじの他の一例である。このように、支柱固定ねじ位置１１におけるスライド支柱７と、ベース支柱８との固定方法は、ねじ穴１１ａと止めねじに限定されない。
【００２９】
なお、上記において、空気調和機の室外機１が小型である場合には、ハンドル固定ねじ位置１８に締結されるねじが、支柱９を固定し、且つ、ハンドル１０ｂを固定する構成について説明している。空気調和機の室外機１が大型であり、支柱固定ねじ位置１１とハンドル固定ねじ位置１８とが一致する場合には、スライド支柱７のねじ穴１１ａに挿入されるねじにより支柱９が固定され、且つ、ハンドル１０ｂが固定される構成としてもよい。
【００３０】
また、上記において、支柱固定ねじ位置１１、ハンドル固定ねじ位置１８、及び底板固定ねじ位置２０にねじの締結により固定する構成を一例に説明しているが、支柱９、ハンドル１０ａ、１０ｂ、及び底板５を締結することができればよい。ねじの数、固定方法などは限定されない。
【００３１】
また、上記において、スライド支柱７及びベース支柱８の断面形状が短辺及び長辺から成るＬ字型である場合について説明しているが、断面形状はＬ字型に限定されず、円弧形状、湾曲した形状などであってもよい。
【００３２】
また、上記において、スライド挿入部１２ａ、１２ｂ、及び、スライド溝１３ａ、１３ｂが前面側に平行に形成された構成について説明しているが、スライド溝１３ａ、１３ｂがスライド挿入部１２ａ、１２ｂを収容することができれば形状は限定されない。また、ねじ穴１１ａは、スライド支柱７に複数設けられていてもよく、穴の数は限定されない。スライド溝１３ａ、１３ｂ、及び、スライド挿入部１２ａ、１２ｂが前面側に平行に形成された構成とすることで、ベース支柱８に当接するねじ穴１１ａによる反力の方向が同一となり、ねじ穴１１ａの数が１つでよくなる。
【００３３】
以上説明した、本実施の形態に係る空気調和機の室外機１によれば、筐体１ａは、天板２と、底板５と、筐体１ａの角部１ｂに配置され、それらを接続する支柱９とにより構成され、筐体１ａの内周に沿って室外熱交換器６が配置されている。支柱９は、ベース支柱８と、ベース支柱８に対して上下方向にスライド可能なスライド支柱７と、により構成される。支柱９の高さは、スライド支柱７をベース支柱８に対して移動させ、ねじ穴１１ａに挿入されたねじによりベース支柱８にスライド支柱７を固定することで調節できるため、異なる大きさの室外機１であっても、共通の支柱９を用いることができる。
【００３４】
また、本実施の形態に係る空気調和機の室外機１によれば、筐体１ａは、前面パネル４と、外郭パネル３とを有し、支柱９が筐体の角部１ｂに配置され、支柱９との間の空間６ａ、及び、支柱９との間の空間６ａからＬ字形状の室外熱交換器６が露出している。そのため、室外熱交換器６の周囲に水が発生しても、室外熱交換器６と筐体１ａとの間に水が溜まることがない。水が溜まらないため、水が室外熱交換器６と筐体１ａとの間で凍結してしまうことも防止される。
【００３５】
また、本実施の形態に係る空気調和機の室外機１によれば、スライド支柱７と、ベース支柱８とは、スライド支柱７の支柱固定ねじ位置１１に取り付けられたねじが、ベース支柱８に当接して固定されている。スライド支柱７が所望の位置でベース支柱８に固定されるため、支柱９の高さを所望の高さに変更できる。
【００３６】
また、本実施の形態に係る空気調和機の室外機１によれば、スライド支柱７と、ベース支柱８とは、スライド支柱７の支柱固定ねじ位置１１に取り付けられたねじを、ベース支柱８に貫通させて固定されている。スライド支柱７が所望の位置でベース支柱８に固定されるため、支柱９の高さを所望の高さに変更できる。
【００３７】
また、本実施の形態に係る空気調和機の室外機１によれば、ベース支柱８の上端部８ａ近傍のハンドル固定ねじ位置１８にハンドル１０ｂが固定されている。ベース支柱８にハンドル１０ｂが取り付けられることで、室外機１の大きさが相違しても、ハンドル１０ｂの高さが維持され、且つ、室外機１をどの方向からでも手で搬送することができる。
【００３８】
また、本実施の形態に係る空気調和機の室外機１によれば、スライド支柱７と、ベース支柱８とは、ハンドル固定ねじ位置１８において、ハンドル１０ｂと共に固定されている。ハンドル固定ねじ位置１８において、ハンドル１０ｂと共にスライド支柱７とベース支柱８とを固定することで、支柱固定ねじ位置１１におけるねじ締結の行程を省くことができる。
【００３９】
また、本実施の形態に係る空気調和機の室外機１によれば、ベース支柱８は、スライド支柱７が摺動するスライド溝１３ａ、１３ｂを備えている。スライド支柱７がベース支柱８のスライド溝１３ａ、１３ｂに沿って摺動することで、スライド支柱の転倒が防止される。
【００４０】
また、本実施の形態に係る空気調和機の室外機１によれば、スライド支柱７は、スライド溝１３ａ、１３ｂに引っ掛けられるスライド挿入部１２ａ、１２ｂを備えている。スライド支柱７のスライド挿入部１２ａ、１２ｂがベース支柱８のスライド溝１３ａ、１３ｂに沿って摺動することで、スライド支柱７の転倒が防止される。
【００４１】
また、本実施の形態に係る空気調和機の室外機１によれば、スライド溝１３ａ、１３ｂは、ベース支柱８の両側端部に一対形成されている。これにより、スライド支柱７の転倒が防止される。
【００４２】
また、本実施の形態に係る空気調和機の室外機１によれば、一対の前記スライド溝１３ａ、１３ｂは、それぞれの底部が平行に形成されている。これにより、１つのねじ穴１１ａに挿入されたねじの反力によりスライド支柱７とベース支柱８とを固定することができる。
【００４３】
また、本実施の形態に係る空気調和機の室外機１によれば、スライド挿入部１２ａ、１２ｂは、スライド支柱７の両側端部に一対形成されている。これにより、スライド支柱７の転倒が防止される。
【００４４】
また、本実施の形態に係る空気調和機の室外機１によれば、スライド支柱７及びベース支柱８は、断面がＬ字形状である。筐体１ａの強度がリブ効果により向上する。
【００４５】
また、本実施の形態に係る空気調和機の室外機１によれば、スライド支柱７及びベース支柱８は、断面が円弧形状である。筐体１ａの強度がリブ効果により向上する。
【符号の説明】
【００４６】
１  室外機、１ａ  筐体、１ｂ  角部、２  天板、３  外郭パネル、３ａ、４ａ  側端部、４  前面パネル、５  底板、６  室外熱交換器、６ａ、６ｂ  空間、７  スライド支柱、７ａ、８ａ  上端部、７ｂ、８ｂ  下端部、８  ベース支柱、９、９０  支柱、１０ａ、１０ｂ  ハンドル、１１  支柱固定ねじ位置、１１ａ  ねじ穴、１２ａ、１２ｂ  スライド挿入部、１３ａ、１３ｂ  スライド溝、１８  ハンドル固定ねじ位置、１９  天板固定ねじ位置、２０  底板固定ねじ位置、３０  送風機、３１  送風機カバー、９０ａ  開口。
【図１】
2017183069.tif 000003
【図２】
2017183069.tif 000004
【図３】
2017183069.tif 000005
【図４】
2017183069.tif 000006
【図５】
2017183069.tif 000007
【図６】
2017183069.tif 000008
【図７】
2017183069.tif 000009
【図８】
2017183069.tif 000010
【図９】
2017183069.tif 000011
【図１０】
2017183069.tif 000012
【図１１】
2017183069.tif 000013
【図１２】
2017183069.tif 000014
【図１３】
2017183069.tif 000015
【手続補正書】
【提出日】平成30年7月13日(2018.7.13)
【手続補正１】
【補正対象書類名】明細書
【補正対象項目名】０００７
【補正方法】変更
【補正の内容】
【０００７】
本発明に係る空気調和機の室外機は、天板と、底板と、前記天板と前記底板とを接続する支柱本体と、を有する筐体と、前記筐体の内周に沿って配置された熱交換器と、を備え、前記筐体は、前記筐体の前面を形成する前面パネルと、前記筐体の一方の側面を形成する外郭パネルと、を更に有し、前記熱交換器は、前記前面パネルに対向する前記筐体の背面、及び、前記外郭パネルに対向する前記筐体の他方の側面に沿ったＬ字形状を有し、前記背面、及び、前記他方の側面に露出しており、前記支柱本体は、前記筐体の角部に配置され、ベース支柱と、前記ベース支柱に対して上下方向にスライド可能なスライド支柱と、により構成され、前記ベース支柱に前記スライド支柱を固定する固定部材が備えられており、前記背面と、前記他方の側面とが接する角部に配置されている。
【手続補正２】
【補正対象書類名】特許請求の範囲
【補正対象項目名】全文
【補正方法】変更
【補正の内容】
【特許請求の範囲】
【請求項１】
天板と、底板と、前記天板と前記底板とを接続する支柱本体と、を有する筐体と、
前記筐体の内周に沿って配置された熱交換器と、を備え、
前記筐体は、
前記筐体の前面を形成する前面パネルと、
前記筐体の一方の側面を形成する外郭パネルと、を更に有し、
前記熱交換器は、
前記前面パネルに対向する前記筐体の背面、及び、前記外郭パネルに対向する前記筐体の他方の側面に沿ったＬ字形状を有し、
前記背面、及び、前記他方の側面に露出しており、
前記支柱本体は、
前記筐体の角部に配置され、
ベース支柱と、前記ベース支柱に対して上下方向にスライド可能なスライド支柱と、により構成され、
前記ベース支柱に前記スライド支柱を固定する固定部材が備えられており、
前記背面と、前記他方の側面とが接する角部に配置されている
空気調和機の室外機。
【請求項２】
前記スライド支柱と前記ベース支柱とを当接固定する前記固定部材であるねじを備えた
請求項１に記載の空気調和機の室外機。
【請求項３】
前記ベース支柱は、側面に形成された複数の開口を備え、
前記スライド支柱と前記ベース支柱とを、前記開口の少なくとも１つを介して締結固定する前記固定部材であるねじを備えた
請求項１に記載の空気調和機の室外機。
【請求項４】
前記ベース支柱に取り付けられた把手を更に備え、
前記把手は、
ねじにより前記ベース支柱の上端部の近傍に固定される
請求項１〜３のいずれか一項に記載の空気調和機の室外機。
【請求項５】
前記固定部材は、
前記把手を固定する前記ねじにより構成される
請求項４に記載の空気調和機の室外機。
【請求項６】
前記ベース支柱は、前記スライド支柱が係合して摺動するスライド溝を備えた
請求項１〜５のいずれか一項に記載の空気調和機の室外機。
【請求項７】
前記スライド支柱は、前記スライド溝に挿入されるスライド挿入部を備えた
請求項６に記載の空気調和機の室外機。
【請求項８】
前記スライド挿入部は、
前記スライド支柱の両側端部に一対形成された
請求項７に記載の空気調和機の室外機。
【請求項９】
前記スライド溝は、
前記ベース支柱の両側端部に一対形成された
請求項６〜８のいずれか一項に記載の空気調和機の室外機。
【請求項１０】
前記一対の前記スライド溝は、
それぞれの底部が平行に形成されている
請求項９に記載の空気調和機の室外機。
【請求項１１】
前記スライド支柱、及び前記ベース支柱は、断面がＬ字形状である
請求項１〜１０のいずれか一項に記載の空気調和機の室外機。
【請求項１２】
前記スライド支柱、及び前記ベース支柱は、断面が円弧形状である
請求項１〜１０のいずれか一項に記載の空気調和機の室外機。
【国際調査報告】
2017183069.tif 000016
2017183069.tif 000017
2017183069.tif 000018
2017183069.tif 000019